【手続補正書】
【提出日】令和2年2月25日(2020.2.25)
【手続補正１】
【補正対象書類名】特許請求の範囲
【補正対象項目名】全文
【補正方法】変更
【補正の内容】
【特許請求の範囲】
【請求項１】
囲い；温度制御システム；及び、ＤＨＰガス生成システムを含む空気循環システム、を含むインキュベーター。
【請求項２】
ＤＨＰガス生成システムは、紫外線（ＵＶ）光源、表面に触媒を有しＤＨＰを生成するように構成された通気性基板構造とを含む、請求項１に記載のインキュベーター。
【請求項３】
環境制御ユニットをさらに備える、請求項１または２に記載のインキュベーター。
【請求項４】
卵回転システムをさらに含む、請求項１〜３のいずれか一項に記載のインキュベーター。
【請求項５】
二酸化炭素（ＣＯ２）感知システムをさらに含む、請求項１〜４のいずれか一項に記載のインキュベーター。
【請求項６】
清浄空気プレナムをさらに含む、請求項１〜５のいずれか一項に記載の家禽卵用インキュベーター。
【請求項７】
空気循環システムが一つ又は複数のファンを含む、請求項１〜６のいずれか一項に記載の家禽卵用インキュベーター。
【請求項８】
空気循環システムが層流システムである、請求項１〜７のいずれか一項に記載の家禽卵用インキュベーター。
【請求項９】
ファンが可変制御ファンである、請求項１〜８のいずれか一項に記載の家禽卵用インキュベーター。
【請求項１０】
囲いがキャビネットまたは部屋である、請求項１〜９のいずれか一項に記載の家禽卵用インキュベーター。
【請求項１１】
加湿器をさらに備える、請求項１〜１０のいずれか一項に記載の家禽卵用インキュベーター。
【請求項１２】
インキュベーターが一段階インキュベーターである、請求項１〜１１のいずれか一項に記載の家禽卵用インキュベーター。
【請求項１３】
インキュベーターが多段階インキュベーターである、請求項１〜１２のいずれか一項に記載の家禽卵用インキュベーター。
【請求項１４】
ａ）孵化のための卵を得ること；ｂ）卵を乾燥過酸化水素（ＤＨＰ）ガスを０．００１百万分率（ｐｐｍ）〜１０ｐｐｍの濃度で生成できるインキュベーターに配置すること；ｃ）０．００１百万分率（ｐｐｍ）〜１０ｐｐｍの濃度のＤＨＰガスの存在下で、１〜１８日間、３７℃〜３８℃の温度で、インキュベーターで卵を最初に第一のインキュベーションを行うことを含む、卵をインキュベーションするための方法における使用のための家禽スペースの作製における乾燥過酸化水素（ＤＨＰ）生成装置の使用。
【請求項１５】
０．００１百万分率（ｐｐｍ）〜１０ｐｐｍの濃度の乾燥過酸化水素（ＤＨＰ）の存在下で、１〜５日間、又は孵化が完了するまで、卵に第二のインキュベーションを行うことをさらに含む、請求項１４に記載の方法における使用のための家禽スペースの作製における乾燥過酸化水素（ＤＨＰ）生成装置の使用。
【請求項１６】
第二のインキュベーションは第二のインキュベーター内で行われる、請求項１４または１５に記載の方法における使用のための家禽スペースの作製における乾燥過酸化水素（ＤＨＰ）生成装置の使用。
【請求項１７】
ＤＨＰガス濃度が少なくとも０．０１ｐｐｍである、請求項１４〜１６のいずれか一項に記載の方法における使用のための家禽スペースの作製における乾燥過酸化水素（ＤＨＰ）生成装置の使用。
【請求項１８】
ＤＨＰガス濃度が少なくとも０．０５ｐｐｍである、請求項１４〜１７のいずれか一項に記載の方法における使用のための家禽スペースの作製における乾燥過酸化水素（ＤＨＰ）生成装置の使用。
【請求項１９】
孵化のための卵が生理学的ゼロ未満の温度、希釈過酸化水素（ＤＨＰ）ガスの下、ＤＨＰガスが０．００１〜５百万分率（ｐｐｍ）の濃度で、ステップ（ｂ）の前に１〜７日間保管される、請求項１４〜１８のいずれか一項に記載の方法における使用のための家禽スペースの作製における乾燥過酸化水素（ＤＨＰ）生成装置の使用。
【請求項２０】
インキュベーターが４０％〜７０％の相対湿度に維持される、請求項１４〜１９のいずれか一項に記載の方法における使用のための家禽スペースの作製における乾燥過酸化水素（ＤＨＰ）生成装置の使用。
【請求項２１】
家禽卵を家禽スペースに配置すること、乾燥過酸化水素（ＤＨＰ）を家禽スペースに０．０１ｐｐｍ〜１０ｐｐｍの濃度で供給すること、及び家禽卵を家禽スペースに保管期間維持することを含む、家禽卵を改善する方法における使用のための家禽スペースの作製における乾燥過酸化水素（ＤＨＰ）生成装置の使用。
【請求項２２】
改善は孵化率の増加である、請求項２１に記載の方法における使用のための家禽スペースの作製における乾燥過酸化水素（ＤＨＰ）生成装置の使用。
【請求項２３】
改善は均一性の増加である、請求項２１または２２に記載の方法における使用のための家禽スペースの作製における乾燥過酸化水素（ＤＨＰ）生成装置の使用。
【請求項２４】
改善は、ヒナ孵化の平均重量の増加である、請求項２１〜２３のいずれか一項に記載の方法における使用のための家禽スペースの作製における乾燥過酸化水素（ＤＨＰ）生成装置の使用。
【請求項２５】
改善は、ピップされるが孵化しない卵の数の１０％の減少である、請求項２１〜２４のいずれか一項に記載の方法における使用のための家禽スペースの作製における乾燥過酸化水素（ＤＨＰ）生成装置の使用。
【請求項２６】
改善は、第二品質のヒナの数の１０％の減少である、請求項２１〜２５のいずれか一項に記載の方法における使用のための家禽スペースの作製における乾燥過酸化水素（ＤＨＰ）生成装置の使用。
【請求項２７】
改善が家禽卵の細菌量の１０倍の減少である、請求項２１〜２６のいずれか一項に記載の方法における使用のための家禽スペースの作製における乾燥過酸化水素（ＤＨＰ）生成装置の使用。
【請求項２８】
改善は、孵化した第一品質のヒナの７日間の死亡率の減少である、請求項２１〜２７のいずれか一項に記載の方法における使用のための家禽スペースの作製における乾燥過酸化水素（ＤＨＰ）生成装置の使用。
【請求項２９】
保管期間は１〜３日間であり、家禽スペースは産卵場又は卵保管室である、請求項２１〜２８のいずれか一項に記載の方法における使用のための家禽スペースの作製における乾燥過酸化水素（ＤＨＰ）生成装置の使用。
【請求項３０】
保管期間は１〜７日間であり、家禽スペースは孵化場の卵室である、請求項２１〜２９のいずれか一項に記載の方法における使用のための家禽スペースの作製における乾燥過酸化水素（ＤＨＰ）生成装置の使用。
【請求項３１】
保管期間は１〜１８日間であり、家禽スペースはセッティングインキュベーターである、請求項２１〜３０のいずれか一項に記載の方法における使用のための家禽スペースの作製における乾燥過酸化水素（ＤＨＰ）生成装置の使用。
【請求項３２】
保管期間は１〜２１日であり、家禽スペースは、セッティング及び孵化インキュベーターの組み合わせである、請求項２１〜３１のいずれか一項に記載の方法における使用のための家禽スペースの作製における乾燥過酸化水素（ＤＨＰ）生成装置の使用。
【請求項３３】
保管期間は１〜５日間であり、家禽スペースは孵化インキュベーターである、請求項２１〜３２のいずれか一項に記載の方法における使用のための家禽スペースの作製における乾燥過酸化水素（ＤＨＰ）生成装置の使用。
【請求項３４】
ＤＨＰが家禽スペースに直接供給される、請求項２１〜３３のいずれか一項に記載の方法における使用のための家禽スペースの作製における乾燥過酸化水素（ＤＨＰ）生成装置の使用。
【請求項３５】
ＤＨＰが家禽スペースに間接的に供給される、請求項２１〜３４のいずれか一項に記載の方法における使用のための家禽スペースの作製における乾燥過酸化水素（ＤＨＰ）生成装置の使用。
【請求項３６】
保管された家禽の卵は、卵の保管中に短時間のインキュベーション(short periods of incubation during egg storage:SPIDERS)が行われる、請求項３５に記載の方法における使用のための家禽スペースの作製における乾燥過酸化水素（ＤＨＰ）生成装置の使用。
【請求項３７】
家禽卵を改善するための方法における使用のための家禽スペースの作製における乾燥過酸化水素（ＤＨＰ）生成装置の使用であって、
家禽卵を家禽スペースに配置すること、
水和、有機種がなく、オゾンが０．０１５百万分率未満（ｐｐｍ）である乾燥過酸化水素（ＤＨＰ）気体を家禽スペースに０．０１百万分率（ｐｐｍ）〜１０ｐｐｍの濃度で供給すること、及び
家禽卵を家禽スペースに保管期間維持すること
を含み、
ここで、家禽卵を改善するとは、病原体（細菌、ウイルス）の負荷を減らすこと、孵化率を高めること、ピップされるが孵化しない卵（ｐｉｐｐｅｄ  ｕｎｈａｔｃｈｅｄ  ｅｇｇｓ）の数を減らすこと、ヒナの品質を高めること、ヒナ品質スコアを改善すること、ヒナの死亡率を減らすこと、又は処理された卵から孵化したヒナの死亡率を減らすことである、使用。
【請求項３８】
保管期間は１〜３日間であり、家禽スペースは産卵場又は卵保管室である、請求項３７に記載の使用のための家禽スペースの作製における乾燥過酸化水素（ＤＨＰ）生成装置の使用。
【請求項３９】
保管期間は１〜７日間であり、家禽スペースは孵化場の卵室である、請求項３７に記載の使用のための家禽スペースの作製における乾燥過酸化水素（ＤＨＰ）生成装置の使用。
【請求項４０】
保管期間は１〜１８日間であり、家禽スペースはセッティングインキュベーターである、請求項３７に記載の使用のための家禽スペースの作製における乾燥過酸化水素（ＤＨＰ）生成装置の使用。
【請求項４１】
保管期間は１〜２１日であり、家禽スペースは、セッティング及び孵化インキュベーターの組み合わせである、請求項３７に記載の使用のための家禽スペースの作製における乾燥過酸化水素（ＤＨＰ）生成装置の使用。
【請求項４２】
保管期間は１〜５日間であり、家禽スペースは孵化インキュベーターである、請求項１に記載の使用のための家禽スペースの作製における乾燥過酸化水素（ＤＨＰ）生成装置の使用。
【請求項４３】
保管期間が少なくとも１時間である、請求項１に記載の使用のための家禽スペースの作製における乾燥過酸化水素（ＤＨＰ）生成装置の使用。
【請求項４４】
貯蔵期間が少なくとも８時間である、請求項１に記載の使用のための家禽スペースの作製における乾燥過酸化水素（ＤＨＰ）生成装置の使用。
【請求項４５】
ＤＨＰガスの濃度が少なくとも０．０５ｐｐｍである、請求項１に記載の使用のための家禽スペースの作製における乾燥過酸化水素（ＤＨＰ）生成装置の使用。
【請求項４６】
家禽場での感染症の発生に対する迅速な応答に使用するための一つ又は複数の携帯型ＤＨＰ生成装置を含むキット。
【請求項４７】
ＤＨＰ生成装置の数は、空間を少なくとも０．０１ｐｐｍの濃度に維持するのに必要な装置の数の少なくとも３倍の容量を供給する、請求項４６に記載のキット。
【請求項４８】
ＤＨＰ生成装置の数は、少なくとも０．１０ｐｐｍの濃度で空間を維持するのに必要な装置の数の少なくとも３倍の容量を供給する、請求項４６または４７に記載のキット。
【請求項４９】
ＤＨＰ生成装置の数は、少なくとも０．５ｐｐｍの濃度に維持するのに必要な装置の数の少なくとも３倍の容量を供給する、請求項４８に記載のキット。
【請求項５０】
ＤＨＰ生成装置の数は、空間を少なくとも１．０ｐｐｍの濃度に維持するのに必要な装置の数の少なくとも３倍の容量を供給する、請求項４９に記載のキット。
【手続補正２】
【補正対象書類名】明細書
【補正対象項目名】００８６
【補正方法】変更
【補正の内容】
【００８６】
本明細書で提供されるように、家禽の卵の改善とは、病原体（細菌、ウイルス）の負荷を減らすこと、孵化率を高めること、ピップされるが孵化しない卵（pipped unhatched eggs）を減らすこと、ヒナの品質を高めること、ヒナ品質スコアを改善すること、ヒナの死亡率を減らすこと、又は処理された卵から孵化し本明細書のＤＨＰを含むスペースで成長したヒナの死亡率を減らすことをいう。理論に制限されるものではないが、理想的なガスとして、ＤＨＰは殻表面の汚染を減らすことができるだけでなく、殻を通過して内部殻表面と殻膜に作用することもできると考えられている。